(57)【要約】【課題】  背上げ時や背下げ時にエアマット本体が振動することによって使用者とエアマット本体との間に滑りを発生させ、使用者とエアマット本体との間の摩擦力を軽減し使用者の苦痛を解消可能とし、また介護者の背抜き作業の負担を軽減可能とするエアマット装置を提供する。【解決手段】  傾斜可能なベッド背ボトム４１が備えられたベッド４０上に空気注入ノズルを備えた細長い袋状のエアセル２１を並設載置して構成したエアマット本体２０と、このエアマット本体２０に移送路３４を経由して空気を供給排気するための空気供給装置３１及びこの空気供給装置３１の制御をする制御部３２と圧力センサ３３を備えたコントローラ３０とで構成されている。エアマット本体２０にはエアセル２１と、エアセル２１を振動させるための振動発生装置２２とベッド背ボトム４１の傾斜角度を検知するための背上げ角度検知センサ２３が配設されている。【選択図】  図１
2014226264.tif 000002
【特許請求の範囲】
【請求項１】
空気注入ノズルを備えた細長い袋状のエアセルを使用者の寝姿時の身長方向であるベッド長手方向と直交する向きに並設載置したエアマット本体と、
前記エアセルに空気を供給排出する空気供給装置と、
前記エアマット本体に配設され前記エアセルを振動させる振動発生装置と、
を備え、
前記エアマット本体の載置されるベッドに傾斜可能に備えられたベッド背ボトムが傾斜増加する背上げ時と、傾斜減少する背下げ時とで前記振動発生装置が前記エアセルを振動させて使用者とエアマット本体との間やエアマット本体内部の構成部材との間に滑りを発生させ、使用者とエアマット本体との間の摩擦力を軽減することを特徴とするエアマット装置。
【請求項２】
前記振動発生装置が前記エアセルに密着又は接続されて配設されることを特徴とする請求項１に記載のエアマット装置。
【請求項３】
前記エアマット本体がカバーに覆われ、
前記振動発生装置が前記カバーの内側に密着又は接続されて配設されることを特徴とする請求項１又は２に記載のエアマット装置。
【請求項４】
前記振動発生装置が前記ベッド背ボトムに対応する部位に配設されることを特徴とする請求項項１から３のいずれか１項に記載のエアマット装置。
【請求項５】
前記ベッド背ボトムの傾斜角度を検知する背上げ角度検知センサが前記エアマット本体に設けられ、前記ベッド背ボトムの傾斜増減を検知すると前記振動発生装置の振動が開始されることを特徴とする請求項１から４のいずれか１項に記載のエアマット装置。
【請求項６】
前記振動発生装置の振動数が０から連続的に増加することを特徴とする請求項１から５のいずれか１項に記載のエアマット装置。
【請求項７】
前記振動発生装置の振動が所定の時間動作されることを特徴とする請求項１から６のいずれか１項に記載のエアマット装置。
【発明の詳細な説明】
【技術分野】
【０００１】
本発明は、背上げ可能なベッドに使用されるマットレスであり、特に介護用ベッドに載置して使用するエアマット装置に関するものである。
【背景技術】
【０００２】
ベッド上に長時間臥位でいると、身体の不自由な者は、頻繁に寝返りをうつことができない為、体圧が長時間局部に集中し、その部分の血行が妨げられることにより組織が壊死し、床ずれが生じるおそれがある。
【０００３】
そこで、マットレスに使用されるクッション材として体圧分散性に優れた、空気圧式のエアセルや発泡ポリウレタンフォーム等の発泡素材、流動性を有する熱可塑性樹脂やゲル状物を被覆材で被覆したシート状素材等の柔軟性素材が単体又は複合されて使用されていた。
【０００４】
特に空気圧式のエアセルを使用したマットレスは、体重・体形に適した硬さの設定により特に体圧分散性能に優れ（特許文献１）、その多くはエアセルの膨張収縮を利用した波動動作が自動で行われることにより、体圧が同一部位に長時間集中しない為、特に寝たきりの状態の使用者に好適とされ、広く利用されている（特許文献２）。
【０００５】
また、使用者に対してリラクゼーション効果を寄与するものとして、身体の特に足部分に誘眠振動やマッサージ振動を与えるベッドもある（特許文献３）。
【先行技術文献】
【特許文献】
【０００６】
【特許文献１】特許第４０６７８５４号
【特許文献２】特開２０００−１９７６７２号公報
【特許文献３】特許第４７１０２５７号
【発明の概要】
【発明が解決しようとする課題】
【０００７】
前記特許文献１及び特許文献２は使用者が寝姿時でのマットレスのエアセルの制御に特に有効であるが、前記エアマットは比較的厚めなのと比較的身体の沈み込みが大きい為、背上げ可能なベッドを背上げするに従い背中とマットレス上面との間に滑りが発生しにくいことと相まってマットレス上面とマットレス底面とのずれ量が大きくなり、マットレス内部のエアセルが変形してくる。そのときにエアセルに発生するせん断応力が摩擦力として背中を下方へと押し下げる方向へ働くため、身体が圧迫されて苦痛となることがあり、介護者による背抜き作業を必要とする場合が多いという問題があった。また同様に、背下げ時は背上げ時と逆方向の力が働き背中が頭方向へと引き上げられ苦痛となるので背抜き作業が必要という問題もあった。
【０００８】
また、特許文献３のように、身体に振動を与えることによってリラクゼーション効果を発揮するものはあるが、背上げ時や背下げ時に使用者の苦痛を解消するまでには至っていなかった。
【０００９】
本発明は上記を鑑みてなされたものであって、特に介護用ベッドに使用されるエアマットにおいて、背上げ時や背下げ時にエアマット本体が振動することによって使用者とエアマット本体との間に滑りを発生させ、使用者とエアマット本体との間の摩擦力を軽減し使用者の苦痛を解消可能とし、また介護者の背抜き作業の負担を軽減可能とするエアマット装置を提供することにある。
【課題を解決するための手段】
【００１０】
本発明は、上述した課題を解決するためになされたものであり、請求項１の発明は、空気注入ノズルを備えた細長い袋状のエアセルを使用者の寝姿時の身長方向であるベッド長手方向と直交する向きに並設載置したエアマット本体と、前記エアセルに空気を供給排出する空気供給装置と、前記エアマット本体に配設され前記エアセルを振動させる振動発生装置と、を備え、前記エアマット本体の載置されるベッドに傾斜可能に備えられたベッド背ボトムが傾斜増加する背上げ時と、傾斜減少する背下げ時とで前記振動発生装置が前記エアセルを振動させて使用者とエアマット本体との間に滑りを発生させ、使用者とエアマット本体との間の摩擦力を軽減することを特徴とするエアマット装置である。
【００１１】
また、請求項２の発明は、前記振動発生装置が前記エアセルに密着又は接続されて配設されることを特徴とする請求項１に記載のエアマット装置である。
【００１２】
また、請求項３の発明は、前記エアマット本体がカバーに覆われ、前記振動発生装置が前記カバーの内側に密着又は接続されて配設されることを特徴とする請求項１又は２に記載のエアマット装置である。
【００１３】
また、請求項４の発明は、前記振動発生装置が前記ベッド背ボトムに対応する部位に配設されることを特徴とする請求項１から３のいずれか１項に記載のエアマット装置である。
【００１４】
また、請求項５の発明は、前記ベッド背ボトムの傾斜角度を検知する背上げ角度検知センサが前記エアマット本体に設けられ、前記ベッド背ボトムの傾斜増減を検知すると前記振動発生装置の振動が開始されることを特徴とする請求項１から４のいずれか１項に記載のエアマット装置である。
【００１５】
また、請求項６の発明は、前記振動発生装置の振動数が０から連続的に増加することを特徴とする請求項１から５のいずれか１項に記載のエアマット装置である。
【００１６】
また、請求項７の発明は、前記振動発生装置の振動が所定の時間動作されることを特徴とする請求項１から６のいずれか１項に記載のエアマット装置である。
【発明の効果】
【００１７】
請求項１の発明は、ベッド背ボトムの背上げ時と背下げ時とで振動発生装置がエアセルを振動させて使用者とエアマット本体との間に滑りを発生させ、使用者とエアマット本体との間の摩擦力を軽減することを特徴としているので、ベッド背ボトムが傾斜する際の使用者の身体が圧迫される苦痛や、背中が上方へと引き上げられる苦痛を解消可能とし、また振動発生装置の振動によって背抜きや脚抜き、腰抜きと同様の効果を得られるため介護者の負担を大幅に減らすことができる利点がある。さらに摩擦力を効率的に解放できることによって身体がずれることを抑制する効果もある。
【００１８】
請求項２の発明は、振動発生装置がエアセルに密着又はエアセル保持用のベルト等の中間部材を介して接続されて配設されることを特徴としているので、振動発生装置の振動を効率よくエアセルに伝播させることができる。
【００１９】
請求項３の発明は、振動発生装置がエアマット本体を覆うカバーに密着又はベルトやひも等の中間部材を介して接続されて配設されているので、エアセルだけでなくカバーも振動して使用者との間に滑りを発生させ、使用者とエアマット本体との間の摩擦力をより効率的に軽減することができるので、使用者の苦痛を解消可能としている。
【００２０】
請求項４の発明は、振動発生装置がベッド背ボトムに対応する部位に配設されるので、ベッド背ボトムが傾斜する際の使用者の苦痛を効果的に解消することに特化され、また、振動発生装置をベッド全体に配設する場合に比べコストの削減にも繋がる。
【００２１】
請求項５の発明は、ベッド背ボトムの傾斜角度を検知する背上げ角度検知センサがエアマット本体に設けられているので、振動発生装置の振動を背上げ角度検知センサによる自動連動とした場合、入れ忘れや切り忘れも排除され、快適性に加え利便性にも非常に優れたものとなっている。
【００２２】
請求項６の発明は、振動発生装置の振動数が連続的に増加するので、例えば振動開始時に振動数を徐々に高くすることによって使用者を驚かせることなく使用者とエアマット本体との間に滑りを発生させ摩擦力を軽減できるので使用者の苦痛を解消可能としている。
【００２３】
請求項７の発明は、振動発生装置の振動が所定の時間動作されるので、背抜きの振動が長時間連続することによる不快感の発生を抑止することができる。
【図面の簡単な説明】
【００２４】
【図１】本発明に係るエアマット装置の一実施形態の全体斜視図を示す。
【図２】本発明に係るエアマット装置の振動発生装置の配設位置の一例を示す。
【図３】本発明に係るエアマット装置のベッド背ボトム傾斜動作時の振動発生装置の振動状態の一例を示し、（ａ）は背上げ時、（ｂ）は背下げ時の振動状態を示す。
【発明を実施するための形態】
【００２５】
図面を参照して本発明の実施の形態について説明する。図１は、本発明の実施の形態であるエアマット装置の斜視図、図２はエアマット装置の振動発生装置の配設位置の一例を示し、図３はエアマット装置のベッド背ボトム傾斜動作時の振動発生装置の振動状態の一例を示し、（ａ）は背上げ時、（ｂ）は背下げ時の振動状態を示す。なお、図１の斜視図ではエアマット装置の内部構成を示すためカバーを描いていないが、実際には図２、図３のようにエアマット本体をカバーが覆っている。
【００２６】
エアマット装置１０は、図１〜図３に示すように、傾斜可能なベッド背ボトム４１が備えられたベッド４０上に空気注入ノズルを備えた細長い袋状のエアセル２１を並設載置して構成したエアマット本体２０と、このエアマット本体２０に移送路３４を経由して空気を供給排気するための空気供給装置３１及びこの空気供給装置３１の制御をする制御部３２と圧力センサ３３を備えたコントローラ３０とで構成されている。
【００２７】
エアマット本体２０には空気注入ノズルを備えた細長い袋状のエアセル２１と、エアセル２１を振動させるための振動発生装置２２とベッド背ボトム４１の傾斜角度を検知するための背上げ角度検知センサ２３が配設されている。また、エアマット本体２０は図２に示すように全体がカバー２４で覆われている。また、エアセル２１を連結しエアマット形状を維持するためのセル保持用のベルト等で構成された中間部材２５が設けられている。
【００２８】
エアセル２１は、布地などのような可撓性の生地に高重合ポリマーフィルムをラミネート加工したもの、あるいは可撓性プラスチックフィルムそのまま、若しくは可撓性プラスチックフィルムの表面を梨地加工したもので、内部に空気を注入・排気することにより膨張・収縮させることができるようにしたものである。エアセル２１の膨張時の断面形状は楕円形状となっているがこれに限らず円形状や略長方形状やそれらの複合体形状でもよい。
【００２９】
振動発生装置２２は、エアセル２１やカバー２４を振動させるための装置であり、図２のようにここではエアセル２１に密着するように配設されている。エアマット本体２０の短手方向（使用者の幅方向）は単数又は複数の振動発生装置２２を所定の位置や間隔で配設してもよいし、１本の長い振動発生装置２２として配設してもよく、エアマット本体２０のサイズやエアセル２１の形状等製品仕様に応じて振動発生装置２２の形状や配設位置、個数を決定するとよい。
振動発生装置２２が振動開始すると、密着されたエアセル２１の表面に振動が伝播し、エアセル２１全体が振動する仕組みとなっている。振動は強弱や振動時間等を制御可能となっている。
振動発生装置２２の振動方法は、磁気で振動子を振動させる方式、圧電作用で振動子を振動させる方式、磁歪作用で振動子を振動させる方式、モータ駆動により振動子を振動させる方式、超音波振動させる方式等のように公知の振動方式を採用することができる。
【００３０】
振動発生装置２２を配設する位置は、図２（ａ）のように各エアセル２１の底部に振動発生装置２２を配設したり、図２（ｂ）のように隣り合うエアセル２１に密着するように配設したり、図２（ｃ）のように振動発生装置２２を所定の配列で配設することも可能である。
また、図２（ｃ）のように振動発生装置２２をベルトやひも等の中間部材２５を介してカバー２４へ接続するように配設すると、エアセル２１を振動させるだけでなくカバー２４も振動させることができるので、使用者との間の滑りをより効率的に発生させ、使用者とエアマット本体２０との間の摩擦力をより効率的に軽減することができるので使用者の苦痛を解消可能となる。
振動発生装置２２自体をカバー２４に密着させる場合はカバー２４上面内側でもよいし、カバー２４側面に密着又は接続させて振動がカバー２４を伝播して使用者との間に滑りを発生させるように配設してもよい。
なお、振動発生装置２２はエアセルの膨張収縮動作を阻害しない位置や、使用者に苦痛を与えないような位置に設けるとよい。
【００３１】
背上げ角度検知センサ２３はエアマット本体２０が載置されるベッド４０のベッド背ボトム４１に対応する位置に配設され、ベッド背ボトム４１の傾斜角度を検知するためのものである。背上げ角度検知センサ２３はベッド背ボトム４１の現状角度の検知及びベッド背ボトム４１が傾斜を開始した際に現状角度に対して傾斜が増加したか、又は減少したかを検知するためのものである。
【００３２】
コントローラ３０は、エアマット本体２０のエアセル２１に空気を供給排気するための空気供給装置３１と、３本のエアセルへの空気の移送路３４と、移送路３４の圧力を検知するための圧力センサ３３と、圧力センサ３３の圧力状態に基づいて空気供給装置３１を制御するための制御部３２が設けられている。
【００３３】
ベッド４０には背上げ動作を行うためのベッド背ボトム４１が備えられており、使用者が身体を起こしたい場合など、このベッド背ボトム４１が傾斜して使用者の背中を起こすことになる。このベッド背ボトム４１は手動で動作してもよいし、駆動装置を用いて自動で動作してもよい。
【００３４】
次に、図３を参照してベッド背ボトム４１が傾斜動作する際の振動発生装置２２の振動状態の一例を説明する。エアマット本体２０はコントローラ３０の制御部３２によってエアセルの圧力を制御している。図３（ａ）では、ベッド背ボトム４１が背上げによって傾斜増加する際の振動発生装置２２の振動状態を表している。
ベッド背ボトム４１が背上げの傾斜動作を開始すると、エアマット本体２０のベッド背ボトム４１側に設けられた背上げ角度検知センサ２３が傾斜増加を検知し、振動発生装置２２が振動を開始する。このとき振動数を徐々に高くするように制御すると使用者を驚かせることが無くなる。
傾斜増加すると、エアマット本体２０と使用者の背中との間には頭側から足側の方向への摩擦力が増大する。そこで、振動発生装置２２が振動することによってエアマット本体２０を振動させると使用者とカバー２４を介したエアマット本体２０との間やエアマット本体２０内部の各構成部材間に滑りが発生し、使用者とエアマット本体２０との間の摩擦力を軽減することとなり、従来発生していた下方向への圧迫感が軽減されるので使用者の苦痛を解消することができる。また、これによって介護者の背抜き動作の負担を軽減することができる。
【００３５】
図３（ｂ）では、ベッド背ボトム４１が背下げによって傾斜減少する際の振動発生装置２２の振動状態を表している。図３（ａ）の背上げ時の振動発生装置２２の動作の場合と同様に、背上げ角度検知センサ２３が傾斜減少を検知し、振動発生装置２２が振動を開始する。
傾斜減少すると、エアマット本体２０と使用者の背中との間には足側から頭側の方向への摩擦力が増大するが、振動発生装置２２が振動することによってエアマット本体２０を振動させると使用者とカバー２４を介したエアマット本体２０との間やエアマット本体２０内部の各構成部材間に滑りが発生し、使用者とエアマット本体２０との間の摩擦力を軽減することとなり、背中が上方へと引き上げられるような苦痛を解消することができる。また、これによって介護者の背抜き動作の負担を軽減することができる。
なお、背上げ時と背下げ時で摩擦力が異なる場合には、それぞれで振動数を変化させたりして振動の強さを変更する制御を行ってもよい。
【産業上の利用可能性】
【００３６】
本発明のエアマット装置は、背上げ時や背下げ時にエアマット本体が振動することによって使用者とエアマット本体との間に滑りを発生させ、使用者とエアマット本体との間の摩擦力を軽減し使用者にとってより高い快適性を提供することができ、また介護者にとっても背抜き作業の負担軽減することができるエアマット装置を提供することができる。
【符号の説明】
【００３７】
１０    エアマット装置
２０    エアマット本体
２１    エアセル
２２    振動発生装置
２３    背上げ角度検知センサ
２４    カバー
２５    中間部材
３０    コントローラ
３１    空気供給装置
３２    制御部
３３    圧力センサ
３４    移送路
４０    ベッド
４１    ベッド背ボトム
【図１】
2014226264.tif 000003
【図２】
2014226264.tif 000004
【図３】
2014226264.tif 000005